(57)【特許請求の範囲】
【請求項１】
セルラー通信システムにおいて送信機内のオフセットコントローラを使用して該送信機を操作する方法であって、
信号のコード化フレームを生成するステップと、
該コード化フレームを遠隔受信機で受信したときに、該遠隔受信機でのフレーム・エラー率が所定のフレーム・エラー率に適合するように、１つの基準電力レベルを生成するステップと、
コード化フレームに対する送信フレーム速度を識別する表示を生成し、該送信フレーム速度を識別する表示によって識別された送信フレーム速度を索引として使用して、各送信フレーム速度と関連させて複数の電力オフセット値を記憶している手段から、該送信フレーム速度と関連する１つの電力オフセット値を選択するステップと、
オフセット電力レベル値を得るために、該選択した電力オフセット値を該生成した１つの基準電力レベルに適用するステップと、
コード化フレームを、該オフセット電力レベルに対応する電力レベルで送信するステップと、
所定のエラー率に実質的に適合するエラー率で該コード化フレームを該遠隔受信機が受信するまで、該選択した電力オフセット値を変更し、該識別された送信フレーム速度と関連して該電力オフセット値を記憶している手段に記憶されている電力オフセット値の代わりに、該変更した電力オフセット値を該手段に記憶するステップとを含む方法。
【請求項２】
コード化フレームを形成している各ビットを、該表示に反比例する回数だけ反復して送信するステップとをさらに含む請求項１に記載の方法。
【請求項３】
目的の受信機によりコード化フレームを受信するステップと、
該目的の受信機において、それにより送信機が受信機におけるエラー率を決定することができるエラー率を生成するステップと、
逆方向のフィードバック・チャネルを通して、エラー率インジケータを送信するステップとをさらに含む請求項１に記載の方法。
【請求項４】
該送信機において、該逆方向のフィードバック・チャネルを通してエラー率インジケータを受信し、受信したエラー率の関数として基準電力レベルを調整するステップをさらに含む請求項３に記載の方法。
【請求項５】
該各電力オフセット値が、最初所定の数値に設定され、その後で、それぞれを目的の受信機が設置されている場所に関連する送信環境に調整するための適応のために変化させる請求項３に記載の方法。
【請求項６】
音声信号のコード化フレームを生成するステップと、
その後、遠隔受信機のところでの推定エラー率と所定のエラー率の関数として、調整される基準電力レベルを生成するステップと、
コード化フレームに対する送信フレーム速度を識別する表示を受信し、該送信フレーム速度を識別する表示によって識別された送信フレーム速度を索引として使用して、各送信フレーム速度と関連させて複数の電力オフセット値Δｏｓを記憶している手段から、該識別された送信フレーム速度に関連する電力オフセット値Δｏｓを選択するステップと、
基準電力レベルＰｒｅｆと該選択した電力オフセット値Δｏｓの関数として、オフセット電力レベルＰｏｓを生成するステップと、
コード化フレームを該生成したオフセット電力レベルＰｏｓに対応する電力レベルで送信するステップと、
遠隔受信機のところのエラー率が、所定のエラー率に実質的に適合するように電力オフセット値Δｏｓを変更し、識別されたフレーム速度と関連して該電力オフセット値Δｏｓを記憶している手段に記憶されている電力オフセット値の代わりに、該変更した電力オフセット値を該主段に記憶するステップとを含む方法。
【請求項７】
音声信号のコード化フレームを生成するための手段と、
該コード化フレームを遠隔受信機で受信したときに、該遠隔受信機でのフレーム・エラー率が所定のフレーム・エラー率に適合するように、１つの基準電力レベルを生成する手段と、
各送信フレーム速度と関連させて複数の電力オフセット値を記憶するための手段と、
コード化フレームに対する送信フレーム速度を識別する表示を受信し、該送信フレーム速度を識別する表示によって識別された送信フレーム速度を索引として使用して、各送信フレーム速度と関連させて複数の電力オフセット値を記憶している手段から、１つの電力オフセット値を選択するための手段と、
該生成した１つの基準電力レベルを、該選択した電力オフセット値により調整するための手段と、
コード化フレームを、該調整した基準電力レベルに対応する電力レベルで送信するための手段と、
所定のエラー率に実質的に適合するエラー率で該コード化フレームを該遠隔受信機が受信するまで、該選択した電力オフセット値を変更し、該識別された送信フレーム速度と関連して該電力オフセット値を記憶している手段に記憶されている電力オフセット値の代わりに、変更した電力オフセット値を該記憶している手段に記憶する手段とを備えてなる送信機を持つセルラー通信システム。
【請求項８】
請求項７に記載のセルラー通信システムにおいて、前記送信機は、コード化フレームを形成している各ビットを、該表示に反比例する回数だけ反復して送信するための手段をさらに備えるセルラー通信システム。
【請求項９】
コード化フレームを受信するための手段と、
該コード化フレームがエラーを含む状態で受信されたかどうか、またそのエラーの程度を示すエラー率を生成するための手段と、
逆方向のフィードバック・チャネルを通して、該送信機に該エラー率インジケータを送信するための手段とをさらに備えてなる少なくとも一台の目的の受信機を含む請求項７に記載のセルラー通信システム。
【請求項１０】
該逆方向のフィードバック・チャネルを通して該エラー率インジケータを受信し、該基準電力レベルを受信エラー率の関数として調整するための手段をさらに備えてなる請求項９に記載のセルラー通信システム。
【請求項１１】
該電力オフセット値が、最初所定の各数値に設定され、その後で、それぞれを目的の受信機が設置されている場所に関連する環境に調整するための適応のために変化させる請求項９に記載のセルラー通信システム。
【請求項１２】
セルラー通信システム用の送信機を該送信機内のオフセットコントローラを使用して操作する方法であって、
音声信号のコード化フレームを生成するステップと、
遠隔受信機におけるエラー率が所定のフレーム・エラー率に一致するように、基準電力レベルを生成するステップと、
コード化フレームに対する送信フレーム速度を識別する表示を受信し、該送信フレーム速度を識別する表示によって識別された送信フレーム速度を索引として使用して、各送信フレーム速度と関連させて複数の電力オフセット値を記憶している手段から、該識別された送信フレーム速度に関連する１つの電力オフセット値を選択するステップと、
基準電力レベルおよび選択した電力オフセット値に基づいて、オフセット電力レベルを生成するステップと、
コード化フレームを、該生成したオフセット電力レベルに対応する電力レベルで送信するステップと、
選択した電力オフセット値を、所定のエラー率に実質的に一致するエラー率で遠隔受信機が受信するまで変更し、該識別されたフレーム速度と関連して該電力オフセット値を記憶している手段に記憶されている電力オフセット値の代わりに、該変更した電力オフセット値を該手段に記憶するステップとを含む方法。
【発明の詳細な説明】
【０００１】
【発明の属する技術分野】
本発明は、無線通信に関し、特に符号分割多元接続（ＣＤＭＡ）システムの送信電力の制御に関する。
【０００２】
【従来の技術、及び、発明が解決しようとする課題】
無線セルラー遠隔通信システムにおいては、基地局は、例えば、約１％のフレーム・エラー率のような必要とするフレーム・エラー率で、受信機がフレームを受信するのに十分な電力レベルにより、フレームに分割した情報ビットを送信する。受信機は、基地局に対して継続的にフレーム・エラー率（ＦＥＲ）を示す情報を返送（フィードバック）する。上記フィードバックが、受信機側でのＦＥＲが必要とするＦＥＲより大きい場合には、基地局（送信機）は送信電力レベルを増大する。反対に、上記フィードバックがその逆を示している場合には、基地局は送信電力レベルを下げる。
【０００３】
音声通信システムの場合には、可変速度ボコーダが音声を処理し、ワシントンＤＣ所在のＴＩＡが発行している「遠隔通信工業会（ＴＩＡ）暫定規格  ＩＳ  ９５に記載されているように、周期的に、例えば、全速度フレーム、１／２速度フレーム、１／４速度フレーム、または１／８速度フレームのような可変数のビットを含むフレームを作る。さらに、ＩＳ  ９５規格に基づく無線システムの場合には、通常ビット当たりの全送信エネルギー（Ｅｂ）を上記フレーム速度のいずれかに対するものとほぼ同じに維持するようになっている。無線システムは、ＩＳ  ９５規格の規定に従って、２、４または８回、記号を反復して送信し、それに応じて送信電力を減少させることによって、１／２速度フレーム、１／４速度フレーム、または１／８速度フレームに対して上記の全送信エネルギーの維持を行う。
【０００４】
上記フレーム速度のすべてに対して、ビット当たりの送信電力をほぼ同じに維持すれば、その結果、（ａ）送信電力を十分に使用することができず、（ｂ）フレーム速度を切り替える際にフレーム・エラー率が増大し、（ｃ）目的とする受信機以外の受信機が蒙る干渉が増大することがわかっている。
【０００５】
【課題を解決するための手段】
本明細書においては、上記の問題を論じ、コード化フレームが送信される送信速度の関数として選択した電力オフセットの関数として、電力基準値を調整することにより、ＣＤＭＡ通信システムの順方向リンク内の送信電力を制御する技術の改善について考える。コード化フレームは、調整した電力基準値の関数として選択した電力レベルで送信される。
【０００６】
本発明の一実施例は、各フレーム送信速度に関連する複数の電力オフセット値を生成し、受信したコード化フレームに対する送信フレーム速度の識別表示に従って、適当な電力オフセット値が、識別された送信フレーム速度の関数として選択される。その後で、基準電力レベルは、選択したオフセット値の関数として調整され、コード化フレームが、調整基準電力レベルの関数として得られた電力レベルで送信される。
【０００７】
本発明の上記および他の特徴は、下記の詳細な説明に記載され、添付の図面に図示されている。
【０００８】
【発明の実施の形態】
図１に示す無線遠隔通信システム用の基地局の送信機１００の送信機セクションは、主要部品として、ボコーダ１０、チャネル・コーダ１５、フレーム・エラー率（ＦＥＲ）モニタ／電力コントローラ２０、および可変速度送信機（ＶＲＴ）３０を含む。より詳細に説明すると、ボコーダ１０は、アンテナ３５を通し、またパス９を通して移動局５０へ送信される音声信号を受信し、コード化音声フレームを作るために、例えば、直線予想コーディングのような所定のコーディング・スキームにより、音声信号をコード化する。上記フレームは、例えば、２０ミリ秒に一回というように周期的に生成される。ボコーダ１０は、２０ミリ秒の周期内にその入力での音声の変化に基づいて、音声信号のコード化の際に使用する必要があるフレーム速度を決定する。例えば、上記ＩＳ  ９５規格の場合は、一つのフレームを形成するビットの数は、種々に変化し、全速度フレーム、１／２速度フレーム、１／４速度フレーム、または１／８速度フレームにそれぞれ対応して１−４の異なる数値をとる。その後、ボコーダ１０は、パス１４を通してチャネル・コーダ１５にコード化フレームを出力する。さらに、ボコーダ１０は、パス１３を通して、パス１４に出力したフレームのコード化に使用したフレーム速度をＶＲＴ３０に送る。
【０００９】
チャネル・コーダ１５は、さらに、例えば、ＩＳ  ９５規格に規定されている従来のコーディング・スキームを使用して、いわゆる順方向エラー修正機能を追加するためにコード化フレームを処理する。その後、チャネル・コーダ１５は、その結果得られたコード化フレーム（以後、チャネル・コード化フレームと呼ぶ場合がある）を、パス１６を通してＶＲＴ３０へ出力する。
【００１０】
ＶＲＴ３０は、パス１３を通して受信したフレーム速度を、パス１６を通して受信したチャネル・コード化フレームを送信するのに使用される、多くの異なる送信スキームの中の一つを選択するのに使用する。ＶＲＴ３０は、またチャネル・コード化フレームを送信する際に使用する電力レベルを決定するために、パス２１を通して受信する基準電力レベルを使用する。ＶＲＴ３０は、選択した送信スキームに従い、また各送信ビット当たりのエネルギーが、すべてのフレーム速度に対してほぼ同じになるように、基準電力レベルに対応する電力レベルで、アンテナ３５を通してチャネル・コード化フレームを送信する。
【００１１】
上記送信は、例えば、全速度フレームより遅い速度（例えば、１／２速度、１／４速度、または１／８速度）のチャネル・コード化フレームに対して、コード化ビットが、そのフレーム速度（すなわち、それぞれ２倍、４倍または８倍）に反比例して反復して送信される、ＩＳ  ９５規格に定める速度に基づく送信スキームに従って行われる。すべてのフレーム速度に対して各ビット当たりの送信エネルギーを同じに維持するために、送信電力レベルがフレーム速度の関数として低減される。例えば、１／４速度フレームにおいては、コード化されたビットは、パス２１を通して受信した基準電力レベルの数値に対応する、電力レベルの１／４の電力レベルで４回送信される。一方、全速度フレームの場合には、コード化ビットは基準電力レベルの数値に対応する電力レベルで１回送信される。
【００１２】
ＶＴＲ３０がアンテナ３５を通して送信する情報は、例えば、移動局５０のような目的の移動局、および基地局の送信機１００のサービス・エリア（セル）内の他の移動局（図示せず）により受信される。移動局５０は、送信チャネル・コード化フレームを受信し、元の情報を回収するために所定の解読スキームに従って処理する。そうすることにより、移動局５０は、フレームが正しく受信されたかどうか、またエラーを含んでいるかどうかを判断し、判断結果を逆の「フィードバック・チャネル」を通して、基地局の受信機２００へ送信する。すなわち、移動局５０は、基地局から受信したチャネル・コード化フレームの持つエラー率の表示を送信する。
【００１３】
このエラー表示は、フレーム毎に各受信フレームのエラー状態を識別する「生の」情報として送信することができる。一方、上記のエラー表示は、より少ない頻度で集合した形で送信することもできる。この場合、移動局は基地局にある「観察」期間中に起こった平均受信ＦＥＲを通知する。受信機セクション２００のフィードバック・プロセッサ２１０は、フィードバック・チャネルの内容を受信し、上記内容をパス１９を通してＦＥＲモニタ／電力コントローラ２０に供給する。コントローラ２０は、移動局５０で起こっているエラー率の推定値を得るためにフィードバック情報を処理し、すでに説明したように、基準電力レベル、Ｐｒｅｆを、上記推定値の関数として調整し、その調整した数値をパス２１に供給する。すなわち、推定ＦＥＲが必要とするＦＥＲより低い（高い）場合には、例えば、図２に示すように、基準電力レベルを増大（低減）する。
【００１４】
例えば、移動局５０が、各フレーム毎に受信フレームがエラーを含んでいたか、またはエラーを含んでいなかったかの表示を提供すると仮定しよう。また、送信機１００が、図２に示すように、一連のフレームを全フレーム速度で送信中であり、特定の瞬間に、送信機１００があるフレームを基準電力レベル「ａ」で送信していると仮定しよう。上記フィードバックが送信フレームがエラーを含んでいなかったと表示している場合には、ＦＥＲモニタ／電力コントローラ２０は、低減幅「ｂ」だけ基準電力レベルを下げる。上記エラーを含まない送信が継続している場合には、ＦＥＲモニタ／電力コントローラ２０は、さらに時間「ｃ」中に送信されたフレームに対する基準電力レベル、Ｐｒｅｆをさらに下げる。移動局５０が次に受信するフレームがエラーを含んでいて、移動局５０が、基地局１００にその事実を、逆の「フィードバック」チャネルを通して通知したと仮定しよう。この場合、ＦＥＲモニタ／電力コントローラ２０は、基準電力レベル、Ｐｒｅｆを増大幅「ｄ」に等しい数値だけ増大させる。（通常、増大幅に対する低減幅の比を、必要とするＦＥＲに等しく選ぶことに留意されたい。）
【００１５】
時刻ｔ1 で、送信機１００が１／８の速度で一連のフレームの送信を開始したと仮定しよう。同じフレーム・エラー率に対して、１／８速度のフレームの場合に必要とするビット当たりの送信エネルギーは、全速度フレームの上記エネルギーより低いことを思い出されたい。その理由としては、（ａ）チャネル・コード化フレームの記号は、ビット当たり同じエネルギーで、８回反復して送信されるので、いわゆる、ダイバーシティ利得は、記号エラー率より遥かに低くなり、その結果フレーム・エラーの確率はさらに低くなること、（ｂ）１／８フレームで送信される情報ビットの全数は、８の因数分だけ少ないので、同じ記号エラー率に対するフレーム・エラーの確率は、さらに低くなることなどがある。１／８速度のフレームが基準電力レベル、Ｐｒｅｆ「ｅ」で送信されるとき、受信機により受信されるＦＥＲは、必要とするＦＥＲよりかなり低くなる。それ故、ＦＥＲモニタ／電力コントローラ２０は、受信機５０からのフィードバックが送信がエラーを含まない状態で行われていること表示している限りは、基準電力レベル、Ｐｒｅｆを引き続き低減する。この基準電力レベル、Ｐｒｅｆの低減は、時刻ｔ1 から時刻ｔ2 の間継続して行われる。ｔ2 マイナスｔ1 で表される時間の長さは、例えば、数百ミリ秒から１秒またはそれ以上にわたる場合がある。このことは、この時間中の送信電力レベルは余りに高く、そのため、電力で使用するのに効率的でなく、他の接続機器に過度な干渉を与える。
【００１６】
時刻ｔ3 において、送信機１００が一連の全速度フレームの送信を開始し、第一のフレームを基準電力レベル、Ｐｒｅｆの特定の数値、例えば、基準電力レベル「ｅ1 」に近い可能性の高い「ｅ2 」に対応する電力レベルで送信したと仮定しよう。全速度フレームが基準電力レベル、Ｐｒｅｆ「ｅ1 」に対応する電力レベルで送信された場合、受信機により受信されるＦＥＲは、必要とするエラー率よりかなり高いことは理解できるだろう。この場合、ＦＥＲモニタ／電力コントローラ２０は、受信機５０からのフィードバックが、受信機により受信されるＦＥＲが必要とするＦＥＲより高いことを表示している限り、基準電力レベル、Ｐｒｅｆの増大を継続して行う。継続して行われるこの基準電力レベル、Ｐｒｅｆの増大は、時刻ｔ3 から時刻ｔ4 の間行われる場合がある。ｔ3 からｔ4 までの時間の長さは、受信機により受信されるＦＥＲが、必要とするエラー率よる遥かに大きい時間の長さを表す。
【００１７】
以下に、電力問題の非効率的な使用、および従来技術の基地局の送信機より速いフレームの変化に対応するために起こる後者のエラー率の問題について説明する。より詳細に説明すると、フレーム速度が変わると、基準電力レベルが新しいフレーム速度に適する数値にほぼ近くなるように、基準電力レベルの数値を適応させる。この適応は、本発明の機能により、図３に示すように、図１の従来技術の回路のオフセット・コントローラを使用して行われる。
【００１８】
特に、速度をベースとするオフセット・コントローラ４０は、基準電力レベルＰｒｅｆを現在のフレーム速度に適するレベルにオフセットするために、ＦＥＲモニタ／電力コントローラ２０とＶＲＴ３０との間に設置される。すなわち、速度をベースとするオフセット・コントローラ４０は、パス２１を通して基準電力レベルの数値を受信し、その数値をパス１３を通してボコーダ１０から受信するフレーム速度の関数として調整する。フレーム速度が変化すると、コントローラ４０は、基準電力レベル、Ｐｒｅｆの数値を、以下に説明するように、新しいフレーム速度に対して選択した（生成された）オフセッの数値の関数として調整する。コントローラ４０は、その後、基準電力レベル、Ｐｒｅｆの調整した数値をオフセット電力レベルＰｏｓとして、パス４１を通してＶＲＴ３０に供給する。同様に、ＶＲＴ３０は、パス４１と通して受信するオフセット電力レベルの数値、すなわち、Ｐｏｓの数値に対応する電力レベルで、チャネル・コード化フレームを送信する。
【００１９】
図４は、オフセットが新しいフレーム速度に適する数値にほぼ近くなるように、オフセットが基準電力レベルＰｒｅｆを迅速に調整する方法である。図４の場合、図２の場合に仮定したのと同じ条件が使用されている。また、Δos（１）、すなわち、全速度フレームに対するオフセット数値として、ゼロ（０）ｄＢが選択されるものと仮定する。それ故、ＶＲＴ３０が一連の全速度フレームを送信しているｔ0 からｔ1 までの時間中、Ｐｏｓは図２（および図４）に示す基準電力レベル、Ｐｒｅｆの数値に従って変化することが分かるだろう。時刻ｔ1 の場合、送信機が一連のフレームの送信を１／８の速度で開始すると、速度をベースとするオフセット・コントローラ４０は、Δos（１／８）の大きさのオフセットを基準電力レベル、Ｐｒｅｆに供給し、それにより結果として得られるＰｏｓの数値は、１／８のフレーム速度に対して必要とするレベルに迅速に対応する。それ故、図４からオフセットを基準電力レベル、Ｐｒｅｆに適用する結果、ＶＲＴ３０に供給されるオフセット電力レベル、Ｐｏｓは、図２の時間ｔ1 およびｔ2 との間に示す従来技術による遅い変化とは異なり、急速に、フレーム速度の変化と同時に変化する。類似のオフセット、Δos（１）が、全速度フレームの送信が再開される時間ｔ3 で適用される、それにより従来技術の装置の場合には、基準電力レベル、Ｐｒｅｆを必要とするレベルに変化させるために使用される、ｔ3 からｔ4 までの応答時間（図２）が不必要になる。
【００２０】
また、図４から、基準電力レベル、Ｐｒｅｆが（一点鎖線で示すように）取る数値は、ｔ1 からｔ2 の時間内では図２に示す基準電力レベル、Ｐｒｅｆの数値に従わないこともわかる。その理由は、オフセット電力レベル、ＰｏｓがＶＲＴ３０に適当な電力レベル・インジケータを供給するからである。従って、基準電力レベル、Ｐｒｅｆは、フレーム速度が変化する場合何時でも変化する必要はない。何故なら、この関数は現在主としてオフセットの数値により肩代わりされるからである。
【００２１】
図５は、速度をベースとするオフセット・コントローラ４０で、本発明を実行するプログラムのフローチャートである。より詳細に説明すると、プログラム（５００）は、回路２０からの基準電力レベル、Ｐｒｅｆの現在の数値、およびボコーダ１０からのフレーム速度の受信からスターとし、ブロック５０１へ進む。ブロック５０１においては、プログラムは関連メモリ（図示せず）の現在のフレーム速度を記憶し、その現在のフレーム速度を、各フレーム速度に対応するオフセット値の表にアクセスするための索引として使用する。上記表の一例を図６に示すが、この図は複数の入力、例えば、それぞれが全速度フレーム、１／２速度フレーム、１／４速度フレーム、または１／８速度フレームに対応し、対応するフレーム速度に対するオフセットを指定する四つの入力６０１−６０４を含む。例えば、１／２速度フレームの場合には、オフセットΔos（１／２）は１．０ｄＢである。表６００も、他の各フレーム速度に対するオフセット、すなわち、０ｄＢ、２．５ｄＢおよび４．０ｄＢを指定する。上記オフセットは、上記各フレーム速度における必要とするフレーム・エラー率を達成するために必要な、ビット当たりのエネルギーの違いを決定することにより、実験的に決定されたものであることに留意されたい。
【００２２】
それ故、図５のブロック５０１においては、現在のフレームが１／８速度のフレームである場合には、プログラムは、表６００の入力６０４の内容をアンロードする。その後、プログラム（ブロック５０２）は、基準電力レベル、Ｐｒｅｆの数値に上記オフセットを適用する。すなわち、プログラムは、例えば、４．０ｄＢというオフセットの数値を基準電力レベル、Ｐｒｅｆから引き、その結果をＶＲＴ３０にＰｏｓとして供給する。その後、プログラムは、処理を終了し、基準電力レベル、Ｐｒｅｆおよびフレーム速度の次の数値入力を待つ。
【００２３】
適応プロセスは、移動局がその位置および／または速度を変えたり、周囲の環境およびトポグラフィで変化した場合に、基地局と目的の移動局、例えば、移動局５０との間の送信リンクの変化に対応するために、表６００に表示されている入力の代わりに使用することができることに留意されたい。そのような変化は、各フレーム速度に対して必要とされる、ビット当たりのエネルギーの対応する変化を行わなければならない場合が十分ありうる。さらに、異なるフレーム速度に対して必要とされる、ビット当たりのエネルギーの違いは一定ではなく、それ自身環境によって変化する。従って、目的の移動局の現在の環境に適合するためにオフセットを適応させる必要がある場合がある。
【００２４】
図７は上記適応プロセスの例示としての一例である。この場合もまた、図７の条件をフレーム・フィードバックによるフレームと見なす。より詳細に説明すると、プログラムは、逆のフィードバック・チャネルを通してフレーム・エラー表示を受信したとき、ブロック７００からスタートする。このようにプログラムがスタートすると、プログラムはブロック７０１へ行き、そこで受信したフレーム・エラー表示に関連する対応する、送信フレームのフレーム速度（ｒo ）を入手する。このフレーム速度（ｒo ）は、図５のブロック５０１のところで説明したように、速度をベースとするオフセット・コントローラ４０により記憶されたものと見なされる。フレーム・エラー表示の受信が行われると、プログラム（ブロック７０１）は、その表示を前に送信した適当なフレームと相互に関連付け、それによりエラー表示を適当なフレーム速度と関連づける。その後、プログラム（ブロック７０２）は、受信したフレーム・エラー表示を使用して、対応するフレーム・エラー率ＦＥＲ（ｒ0 ）を更新する。上記更新を行うのに使用することができる一つの方法が、Ｃ．Ｅ．ウイトリIII 他に対する１９９５年１月１７日付けの米国特許第５，３８３，２１９号のコラム７の４５行以降に開示されている。この米国特許は、参考文献として本明細書に組み込まれている。
【００２５】
上記更新に続いて、プログラム（ブロック７０３）は、ＦＥＲ（ｒ0 ）の比を全速度フレーム、すなわち、ＦＥＲ（１）ＦＥＲと比較する。上記比の数値が変数αの数値を超える（例えば、２のように１より大きい数値）場合には、プログラム（ブロック７０４）は、比ｒo に対応するオフセットの数値を下げる。その後、プログラム（ブロック７０５）は、対応するフレーム速度に対する表６００の後者の数値、Δos（ｒo ）を更新して、処理を終了する。
【００２６】
そうでない場合には、プログラム（ブロック７０６）は、上記の比の数値が変数βの数値より小さい（例えば、１／２のような１より小さい数値）かどうかを判断するためにチェックする。小さい場合には、プログラム（ブロック７０７）は、比ｒo に対応するオフセットの数値を増大する。同様に、プログラム（ブロック７０５）は、対応するフレーム速度に対する表６００のΔos（ｒo ）の数値を更新する。大きい場合には、プログラムは、表６００の対応するオフセットを更新しないで処理を終了する。（実際には、上限および下限は、通常これらオフセットがとることができる数値に設定される。）
【００２７】
上記説明は、本発明の単なる例示としてのものに過ぎない。当業者であれば、本明細書に明示されていないにせよ、本発明の精神および範囲内の上記原理を実施することにより、多数の装置を考案することができるだろう。例えば、特許請求の範囲の本発明は、特定の受信機フィードバック装置を使用して説明してあるが、本発明は他の形式の受信機フィードバックによっても、使用することができることは明らかである。他の実施例の場合、特許請求の範囲に記載されているシステムは、無線システム以外のシステム、例えば、有線システムでも使用できることも明らかである。もう一つの例の場合、独立の基準電力レベルが、各フレーム速度に対して維持され、遠隔受信機のそのフレーム速度に対して必要とされるエラー率を達成するために適応される。従って、コード化フレームは、コード化フレームに対するフレーム速度に対応する基準送信電力レベルで送信される。
【図面の簡単な説明】
【図１】順方向リンクの送信電力のレベルを、ＣＤＭＡ遠隔通信システムの電力基準レベルの関数として制御するように作られた、従来技術による送信機である。
【図２】電力基準レベルが、コード化フレームに適用された送信速度の変化に対応する方法である。
【図３】図１の送信機を本発明を実行するために改造する方法である。
【図４】電力基準レベルを、本発明の一つの機能により、コード化フレームに適用された送信速度の変化に対応できるようにするための方法である。
【図５】図３の速度に基づくコントローラにおける、本発明の原理を実行するための例示としてのプログラムのフローチャートである。
【図６】図５のプログラムが使用する各フレーム速度に関連するオフセット値の表である。
【図７】図３の速度に基づくコントローラにおける、本発明の原理を実行するために使用され、また上記オフセット値を目的の受信機が設置されている場所の環境条件に適応させるための他の例示としてのプログラムのフローチャートである。
【図１】
0004057094.tif 000002
【図２】
0004057094.tif 000003
【図３】
0004057094.tif 000004
【図４】
0004057094.tif 000005
【図５】
0004057094.tif 000006
【図６】
0004057094.tif 000007
【図７】
0004057094.tif 000008